(57)【特許請求の範囲】
【請求項１】
温風発生装置(７)を有する本体(１)と、その本体(１)上部に設置される背板(２)と、その背板(２)の上部においてヒンジにより支持され左右に開放される扉(３)とを有し、上記扉(３)の下端部を上記本体(１)によりガイドして開閉を行うようにした食器乾燥器において、
上記背板(２)の上面部の前縁中央部の左右対称位置に一対の環状のヒンジボス(９)、(９)が設けられ、各ヒンジボス(９)の外周面の背板(２)側中央部に位置決め凹部(１１)が設けられ、その位置決め凹部(１１)から扉(３)の開放時に位置決め凸部(１５)が移動する方向の９０度の範囲に薄肉部(１２)が設けられ、
上記各扉(３)の上面部に、上記ヒンジボス(９)に嵌合されるヒンジ穴(１３)が環状リブ(１４)の内周に形成され、そのヒンジ穴(１３)の一部に前記位置決め凹部(１１)に嵌合する位置決め凸部(１５)が設けられ、上記位置決め凹部(１１)と位置決め凸部(１５)によって上部位置決め部が構成され、
上記ヒンジボス(９)の内側に嵌合されたキャップ(１６)の蓋部(１７)がヒンジボス(９)より大径に形成され、上記環状リブ(１４)と蓋部(１７)との間に上下方向のすき間(ｂ)が形成され、
上記各扉(３)の下端縁のガイドリブ(２７)が本体１のガイド溝(２６)に嵌合され、上記ガイドリブ(２７)の前端部に位置決め凸部(２８)が形成され、上記ガイド溝(２６)の前端側の終端部に扉(３)の閉鎖時に上記位置決め凸部(２８)が嵌合する位置決め凹部(２９)が設けられ、上記位置決め凸部(２８)と位置決め凹部(２９)とによって下部位置決め部が構成されたことを特徴とする食器乾燥器。
【請求項２】
上記背板(２)に上下２段の食器かご搭載部を設けたことを特徴とする請求項１に記載の食器乾燥器。
【発明の詳細な説明】
【０００１】
【発明の属する技術分野】
この発明は、食器乾燥器に関し、特に、縦型の食器乾燥器の扉開閉構造に関するものである。
【０００２】
【従来の技術】
縦型の食器乾燥器は、温風発生装置を有する本体と、その本体上部に設置される背板と、その背板の上部においてヒンジにより支持され左右に開放される扉とを有し、上記扉の下端部を上記本体によりガイドして開閉を行うようになっており、内部に上下２段の食器かごを搭載できるようにしている（例えば、特開平９−４８４号公報参照）。
【０００３】
【発明が解決しようとする課題】
上記のような縦型食器乾燥器における扉は、下端から上端までの高さ（スパン）が比較的大きいため、成形後の歪みの発生や組立誤差により、左右の扉を閉鎖したとき、その前面中央における合わせ目にすき間が生じやすい問題があった。
【０００４】
そこで、この発明は、成形後の歪みの発生や組立誤差があっても、扉の合わせ目にすき間が生じることなく、扉を閉めた際の体裁が良好な食器乾燥器を提供することを課題とする。
【０００５】
【課題を解決するための手段】
上記の課題を解決するために、この発明は、温風発生装置を有する本体と、その本体上部に設置される背板と、その背板の上部においてヒンジにより支持され左右に開放される扉とを有し、上記扉の下端部を上記本体によりガイドして開閉を行うようにした食器乾燥器において、上記ヒンジ部分に、扉閉鎖位置で相互に嵌合する上部位置決め部を設け、上記扉の下端部と上記本体との間に、扉閉鎖位置で相互に嵌合する下部位置決め部を設けた構成としたのである。
【０００６】
上記の構成によると、左右の扉を閉めた際に、各扉はそれぞれ上部位置決め部と下部位置決め部の２箇所で位置決めされるので、成形歪や組立誤差があっても、各位置決め部で矯正され、前面中央部における合わせ目にすき間を生じさせることがない。
【０００７】
上記の上部位置決め部の具体的な構成としては、上部位置決め部が、上記背板側のヒンジボスの外周面に設けた位置決め凹部と、該ヒンジボスに嵌合する扉側のヒンジ穴に設けた位置決め凸部により構成されたもの、また、下部位置決め部が、扉下端に設けた位置決め凸部と、本体のガイド溝に設けた位置決め凹部により構成されたものを採用することができる。
【０００８】
なお、この発明は、縦型の食器乾燥器、特に、背板に上下２段の食器かご搭載部を設けたものに有利に適用することができる。
【０００９】
【発明の実施の形態】
以下、この発明の実施形態を添付図面に基づいて説明する。実施形態の食器乾燥器は、図１及び図２に示すように、本体１、背板２、左右２枚の両開き式の扉３，３、本体１上に設置されるシンク４、シンク４上において上下２段に搭載された食器かご５，６を主要な構成部材としている。上記の本体１には温風発生装置７が設けられ、また、下段の食器かご５には、箸立て８が着脱自在に取付けられる。
【００１０】
上記の本体１の平面形状は、図２から分かるように、長円形をなし、背板２はその本体１の後ろ約半分の周縁部に嵌合設置され、その上方の周壁と上面壁を構成する。また、２枚の扉３，３はその背板２に対向して、本体１の前半部の周縁部上とその上面を、それぞれ左右の扉３、３が二分してカバーする。
【００１１】
背板２の上面部の前縁中央部に左右対称位置に一対の環状のヒンジボス９、９が設けられ、各ヒンジボス９の外周面の背板２側中央部に位置決め凹部１１が設けられる。その位置決め凹部１１から、扉３の開放時に位置決め凸部１５が移動する方向の９０度の範囲に薄肉部１２が設けられる。上記各ヒンジボス９の内側は上下方向に開放されている。
【００１２】
一方、各扉３の上面部には、上記のヒンジボス９に嵌合されるヒンジ穴１３が環状リブ１４の内周に形成される。そのヒンジ穴１３の一部に前記のヒンジボス９の位置決め凹部１１に嵌合する位置決め凸部１５が設けられ、扉３の閉鎖状態において両者が嵌合することにより（図４（ａ）参照）、閉鎖状態にある扉３、３の上端部における位置決めを行なう。扉３の開放が開始されるとその嵌合が外れ、ヒンジ穴１３の位置決め凸部１５がヒンジボス９の薄肉部１２の範囲を移動する（図４（ｂ）参照）。上記の位置決め凹部１１と位置決め凸部１５により、上部位置決め部が構成される。
【００１３】
上記のヒンジボス９とヒンジ穴１３との嵌合状態を保持するとともに扉３の自由な回動を許容するために、キャップ１６がヒンジボス９の内側に嵌合される。キャップ１６は、ヒンジボス９より大径の蓋部１７と、その下面中央部に一体に設けられた円筒部１８とからなる。その円筒部１８の外周面には、下端部の対称位置に横Ｌ字形の係合リブ１９が周方向に形成されるとともに、各係合リブ１９の水平部の端部上方に一定の間隔ａをおいて係合突起２１が設けられる。
【００１４】
上記の間隔ａの部分に嵌合する係合部２２が、ヒンジボス９の内周面の対称位置に設けられる。その係合部２２の上面に小凸部２３が設けられる。
【００１５】
上記のキャップ１６を、その係合リブ１９がヒンジボス９側の係合部２２の間を上下方向に通過するようにその向きを定めて該ヒンジボス９の内径面に嵌合し（図４（ａ）参照）、さらに一定方向に回動させると、係合部２２が前記の間隔ａの部分に嵌入し、小凸部２３が係合突起２１の部分を弾性変形して通過する（図５（ｃ）参照）。これによりキャップ１６の抜け出しが防止される。キャップ１６が嵌合された状態において、環状リブ１４とキャップ１６の蓋部１７との間に上下方向の所要の大きさのすき間ｂが存在する（図５（ａ）参照）。
【００１６】
なお、上記のヒンジボス９の外周面の２箇所に小さい縦リブ２４を設けたのは（図３、図４（ａ）（ｂ）参照）、ヒンジ穴１３とのセンター合わせ、及び回動時の摩擦抵抗を低減させるためである。
【００１７】
一方、扉３の下端部の案内と位置決め構造は、以下のようなものである。即ち、本体１の前半部の外周部には、ガイド溝２６が設けられ、扉３の下端縁のガイドリブ２７がこれに嵌合される（図２参照）。各扉３の下部は、上記のガイドリブ２７がガイド溝２６を移動することにより開閉され、閉鎖時は、図６に示すように、背板２の外周面に沿って移動する。上記のガイドリブ２７の前端部に位置決め用凸部２８が形成される。
【００１８】
また、上記のガイド溝２６の前端側の終端部が温風発生装置７の両側面に設けられ、その終端部に位置決め凹部２９が設けられる。扉３の閉鎖時において、扉３側の位置決め凸部２８がガイド溝２６側の位置決め凹部２９に嵌合する。これらの位置決め凸部２８と位置決め凹部２９が下部位置決め部を構成する。
【００１９】
左右の扉３、３を閉めると、上述の上部位置決め部（扉３の上部における位置決め凹部１１と位置決め凸部１５）と下部位置決め部（扉３の下部における位置決め凹部２９と位置決め凸部２８）において、各扉３の閉鎖時における位置決めが行なわれる。これにより、扉３に成形歪や組立誤差があっても、各位置決め部において矯正されるため、前面中央部における合わせ目３１（図６、図７参照）にすき間が生じることがなく、ピタリと閉まる。なお、図７において、３２、３２は扉３，３の引き手である。扉３を開放する際は、位置決め凹部２９から位置決め凸部２８が抜け出し、その位置決め凸部２８とガイドリブ２７とでガイド溝２６を開放方向に移動する。
【００２０】
上記のように縦型食器乾燥器は、上下方向の高さ（スパン）が大になるので、部材の強度や組立誤差等の影響を受けやすい。上述した扉３、３の位置決め構造もその対策の一つであるが、背板２についてもその高さが大になるので補強対策を講じることが望ましい。このため、前述の実施形態においては、上部食器かご６を搭載する支持用レール３３、３３’を２段に設け（図２、図８参照）、各支持用レール３３、３３’の上方に規制リブ３４、３４’を設けている。支持用レール３３、３３’は背板２を屈曲することにより形成される。これらの支持用レール３３、３３’及び規制リブ３４、３４’は、食器かご６を収容する食器の大きさに応じて所定位置に搭載しこれを支持する機能のほかに、背板２を補強する機能を発揮する。
【００２１】
また、図９（ａ）に示すように、上記の背板２の中央部に格子状の排気口３５が設けられる。この排気口３５は、多数の縦リブ３６を左右方向に配列したものを上下２段に設けたものであり、各縦リブ３６の部分に設けたスリット３７の面積の総和が排気口３５の開口面積となっている。
【００２２】
上記の排気口３５の下部に、デザイン的にこれと近似したダミー排気口３５’が設けられる。このダミー排気口３５’も多数の縦リブ３６を左右方向に配列したものを上下２段に設けた点で共通しているが、スリット３７に相当する開口部は設けられていないので、排気機能はもたない。このダミー排気口３５’の中央部に樹脂成形時のゲートが設けられる。このため成形品としての背板２においては、ダミー排気口３５’を形成する多数の縦リブ３６の間にゲート痕３８が残る。しかし、そのゲート痕３８はその周りに多数存在する縦リブ３６に紛れて目立たないので体裁がよい。
【００２３】
その他の開示事項として、前記の食器かご５に取付けた箸立て８に関し、その詳細を図１０（ａ）から（ｃ）に示す。この箸立て８は長方形の開口を有する容器形のものであり、背面に上下２ヶ所のフック４１，４１が設けられる。この箸立て８は、食器かご５の枠４２に沿って立てられ、上段のフック４１を枠４２に設けた係合穴４３に係合するようにしている。また、箸立て８の底面は、食器かご５の底面に設けた２ヶ所のリブ状のコーナー部４４、４４に嵌合される。
【００２４】
上記の食器かご５は樹脂製であるので、リブ状のコーナー部４４、４４を設けることが容易にでき、そのコーナー部４４、４４において底部を支持するとともに、上部のフック４１を枠４２の係合穴４３に係合することで、該箸立て８を安定よく支持することができる。このため、この場合は下段のフック４１は不要である。
【００２５】
しかし、この箸立て８を金属製食器かご５’（図１１参照）に使用する場合、金属製食器かご５’においては、前述の樹脂製食器かご５のように、その底部を支持するコーナー部４４を底面に設けることができないため、図１１（ａ）（ｂ）に示すように、上下のフック４１、４１を上下２本の金属線４５、４５に係合させて支持を安定させる必要がある。このように、上下２ヶ所のフック４１，４１を設けたことにより、この箸立て８を樹脂製食器かご５と金属製食器かご５’の両方に共用することができる。
【００２６】
【発明の効果】
以上のように、この発明は、扉を左右方向に開閉するようにした縦型の食器乾燥器において、扉の閉鎖時にその上下両端部を位置決めするようにしたので、前面中央部における合わせ目にすき間が生じることがなく体裁が良好である効果がある。
【図面の簡単な説明】
【図１】実施形態の斜視図
【図２】同上の分解斜視図
【図３】同上のヒンジ部分の分解斜視図
【図４】（ａ）ヒンジ部分の蓋閉鎖状態の横断平面図
（ｂ）ヒンジ部分の蓋開放状態の横断平面図
（ｃ）キャップの正面図
（ｄ）キャップの断面図
（ｅ）（ｃ）図のｅ−ｅ線の断面図
（ｆ）キャップの底面図
【図５】（ａ）図４（ａ）のＸ−Ｘ線の断面図
（ｂ）図４（ｂ）のＹ−Ｙ線の断面図
（ｃ）キャップの正面図
【図６】実施形態の食器乾燥器の横断平面図
【図７】同上の食器乾燥器の一部省略縦断正面
【図８】同上の背板の一部断面図
【図９】（ａ）排気口部分の背面図
（ｂ）（ａ）図のｂ−ｂ線の断面図
（ｃ）（ａ）図のｃ−ｃ線の断面図
【図１０】（ａ）同上の箸立ての斜視図
（ｂ）同上の食器かごの部分平面図
（ｃ）同上の食器かごと箸立ての組合わせ状態の断面図
【図１１】（ａ）同上の箸立てを金属製食器かごに取付けた場合の側面図
（ｂ）（ａ）図の斜視図
【符号の説明】
１  本体
２  背板
３  扉
４  シンク
５、５’  食器かご
６  食器かご
７  温風発生装置
８  箸立て
９  ヒンジボス
１１  位置決め凹部
１２  薄肉部
１３  ヒンジ穴
１４  環状リブ
１５  位置決め凸部
１６  キャップ
１７  蓋部
１８  円筒部
１９  係合リブ
２１  係合突起
２２  係合部
２３  小凸部
２４  縦リブ
２６  ガイド溝
２７  ガイドリブ
２８  位置決め凸部
２９  位置決め凹部
３１  合わせ目
３２  引き手
３３、３３’  支持用レール
３４、３４’  規制リブ
３５  排気口
３５’  ダミー排気口
３６  縦リブ
３７  スリット
３８  ゲート痕
４１  フック
４２  枠
４３  係合穴
４４  コーナー部
４５  金属線
【図１】
0003983501.tif 000002
【図２】
0003983501.tif 000003
【図３】
0003983501.tif 000004
【図４】
0003983501.tif 000005
【図５】
0003983501.tif 000006
【図６】
0003983501.tif 000007
【図７】
0003983501.tif 000008
【図８】
0003983501.tif 000009
【図９】
0003983501.tif 000010
【図１０】
0003983501.tif 000011
【図１１】
0003983501.tif 000012